(57)【要約】【課題】各枠材の結合を強固にしたパチンコ機の外枠を提供する。【解決手段】上下横枠材２、３及び左右縦枠材４、５とから方形枠状に組み立てる外枠１において、左右縦枠材４、５の上端部８、９と上方横枠材２の左右端部６の一方が鉤状に屈曲形成され、左右縦枠材４、５の上端部８、９と上方横枠材２の左右端部６とは、同一勾配に傾斜した接合面２５、２６を設けた同一の先細り状に形成され、各接合面２５、２６に設けた凹凸条２７、２８を互い違いに噛合し、下方横枠材３の左右端部７は、直立状に屈曲形成すると共に、一側に凹溝４３を設け、左右縦枠材４、５は下方横枠材３の左右端部７上端面７ａに係止する段差部４４と、該段差部４４を介して凹溝４３に挿嵌される下端部８ａ、９ａを設け、該下端部８ａ、９ａと凹溝４３の夫々に設けた凹凸部４６、４５を嵌合し、各枠材２、３、４、５の端部６、７、８、８ａ、９、９ａを固着手段４１、４７にて固定した。【選択図】        図２
2004298371.tif 000002
【特許請求の範囲】
【請求項１】
上下横枠材及び左右縦枠材とから方形枠状に組み立てる外枠において、前記枠材同士を連結する端部を除く部位に断面凹型状に陥没形成した窪地部を設け、該窪地部に嵌合すると共に、周縁に垂下壁を設けた断面逆凹型状の内箱を設け、該内箱と窪地部とには相互に直交して格子状に組み付けられるリブ片を設け、内箱と窪地部とを固着手段にて固定したことを特徴とするパチンコ機の外枠。
【請求項２】
一方のリブ片間において、他方のリブ片との直交部位間には斜めに交差する補強リブ片を設けたことを特徴とする請求項１記載のパチンコ機の外枠。
【請求項３】
上下横枠材及び左右縦枠材とから方形枠状に組み立てる外枠において、左右縦枠材の上端部と上方横枠材の左右端部の一方が鉤状に屈曲形成され、左右縦枠材の上端部と上方横枠材の左右端部とは、同一勾配に傾斜した接合面を設けた同一の先細り状に形成され、各接合面に設けた凹凸条を互い違いに噛合し、下方横枠材の左右端部は、直立状に屈曲形成すると共に、一側に凹溝を設け、左右縦枠材は下方横枠材の左右端部上端面に係止する段差部と、該段差部を介して凹溝に挿嵌される下端部を設け、該下端部と凹溝の夫々に設けた凹凸部を嵌合し、各枠材の端部を固着手段にて固定したことを特徴とするパチンコ機の外枠。
【請求項４】
左右縦枠材の上端部と上方横枠材の左右端部の一方が鉤状に屈曲形成され、左右縦枠材の上端部と上方横枠材の左右端部とは、同一勾配に傾斜した接合面を設けた同一の先細り状に形成され、各接合面に設けた凹凸条を互い違いに噛合し、上端部と左右端部とを固着手段にて固定したことを特徴とする請求項１又は２記載のパチンコ機の外枠。
【請求項５】
下方横枠材の左右端部は、直立状に屈曲形成すると共に、一側に凹溝を設け、左右縦枠材は下方横枠材の左右端部上端面に係止する段差部と、該段差部を介して凹溝に挿嵌される下端部を設け、該下端部と凹溝の夫々に設けた凹凸部を嵌合し、下端部と左右端部とを固着手段にて固定したことを特徴とする請求項４記載のパチンコ機の外枠。
【請求項６】
左右縦枠材の上端部と上方横枠材の左右端部の一方の先端に舌状突片を延出形成し、該舌状突片を嵌合する舌状窪地部を他方に設け、該舌状窪地部と舌状突片とを固着手段にて固定したことを特徴とする請求項３、４、５記載のパチンコ機の外枠。
【請求項７】
凹凸条は、断面先細り状に形成したことを特徴とする請求項３、４、５又は６記載のパチンコ機の外枠。
【発明の詳細な説明】
【０００１】
【発明の属する技術分野】
本発明は、方形枠状に組み立てられるパチンコ機の外枠に関する。
【０００２】
【従来の技術】
従来、上記外枠はパチンコ機の遊技盤の裏面に装備した種々の機構を囲繞するものであり、主に木材から形成されていた。
しかし、近年の森林資源保護や産業廃棄の問題から、リサイクル可能な合成樹脂を材料とした外枠が提供される傾向にある。
合成樹脂製の外枠は成形用型を使って、一体的に成形することは可能であるが、この場合成形型が大型化すること、その製造コストが高騰すること、並びに成形時に生ずる熱収縮による歪みが発生し易いことなどから、成形精度が安定した成形型の小型化とその設備費を低減するため、外枠を上下横枠材及び左右縦枠材の夫々に独立に成形し、これらを縦長矩形枠状に組み立てたものが見受けられる（例えば、特許文献１参照）。
【０００３】
【特許文献１】
特開平９−２１５８３４号公報
【０００４】
【発明が解決しようとする課題】
上記外枠は大重量の機構を装備した遊技設備を囲繞せねばならないため、頑丈でなければならないが、外枠を構成する各枠材は、その軽量化に伴って強度低下を招来している。
このため、外枠に加わる局部的な力により各枠材が変形したり、各枠材の連結部位が欠損、破損する恐れがある。
そこで本発明は、各枠材の強度を向上させ、且つ各枠材の結合を強固にしたパチンコ機の外枠を提供することを目的としている。
【０００５】
【課題を解決するための手段】
本発明は、上記課題に鑑み、上下横枠材及び左右縦枠材とから方形枠状に組み立てる外枠において、前記枠材同士を連結する端部を除く部位に断面凹型状に陥没形成した窪地部を設け、該窪地部に嵌合すると共に、周縁に垂下壁を設けた断面逆凹型状の内箱を設け、該内箱と窪地部とには相互に直交して格子状に組み付けられるリブ片を設け、内箱と窪地部とを固着手段にて固定することにより、各枠材の強度を向上させる。
そして、左右縦枠材の上端部と上方横枠材の左右端部の一方が鉤状に屈曲形成され、左右縦枠材の上端部と上方横枠材の左右端部とは、同一勾配に傾斜した接合面を設けた同一の先細り状に形成され、各接合面に設けた凹凸条を互い違いに噛合し、上端部と左右端部とを固着手段にて固定することにより、外枠の上方隅角部を形成する上方横枠材と左右縦枠材との結合力を増大させ、又左右縦枠材の上端部と上方横枠材の左右端部の一方の先端に舌状突片を延出形成し、該舌状突片を嵌合する舌状窪地部を他方に設け、該舌状窪地部と舌状突片とを固着手段にて固定することにより、左右縦枠材と上方横枠材との継ぎ目の結合力を増大させ、外枠の上方隅角部の強度を向上させる。
下方横枠材の左右端部は、直立状に屈曲形成すると共に、一側に凹溝を設け、左右縦枠材は下方横枠材の左右端部上端面に係止する段差部と、該段差部を介して凹溝に挿嵌される下端部を設け、該下端部と凹溝の夫々に設けた凹凸部を嵌合し、下端部と左右端部とを固着手段にて固定することにより、外枠の下方隅角部を形成する下方横枠材と左右縦枠材との結合力を増大させる様にして、上記課題を解決する。
【０００６】
【発明の実施の形態】
以下本発明の一実施例を図面に基づいて説明する。
図１、２に示すパチンコ機の外枠１は、パチンコ盤面を装備した遊技機本体を囲繞するものにして、ＡＢＳ樹脂等の合成樹脂製から成る上下横枠材２、３と左右縦枠材４、５とで縦長な方形枠状に組み立てられる。
尚、左側縦枠材４と右側縦枠材５とは、基本構造が同一のため、その具体的構造については、右側縦枠材５を中心に図示して説明する。
【０００７】
上方横枠材２と左右縦枠材４、５は、これらを連結する端部６、８、９を除いた部位（基体）が略帯板状に形成され、この基体の外側面又は内側面（図示例では外側面）の略全域に、断面凹型状に陥没形成した窪地部１０を設けている。
窪地部１０には、これに嵌合する内箱１１を設け、該内箱１１は、窪地部１０の深さと同一高さに設定され、内箱１１の窪地部１０への嵌合状態において、内箱１１上面は枠材２、４、５外側面と同一平面上に位置している。
又、内箱１１は、その周縁に垂下壁１２を設け、内箱１１上面の長手方向端部１１ａは、窪地部１０の長手方向の開口部端面に設けた段部１３に設置する様に成している。
【０００８】
内箱１１内方と、この内方に対応する窪地部１０内には相互に直交して格子状に組み付けられるリブ片１４、１５を設けている。
リブ片１４、１５が相互に直交する部位において、リブ片１４では、その下端から所定長さ上方に渡り切込み１６を形成し、リブ片１５では、その上端から所定長さ下方に渡り切込み１７を形成している。
又、内箱１１の短手方向端縁に設けた長尺な垂下壁１２の下端には、その長さ方向で所定間隔置きに切込み１８を設け、窪地部１０内において、切込み１８との対応位置には、これに嵌合する突片１９を設けている。
窪地部１０に設けた長尺なリブ片１５間において、他方のリブ片１４の直交部位間にはリブ片１５と斜めに交差する補強リブ片２０を設け、又リブ片１５の長手方向端部と直交する別途補強リブ片２０ａを設けている。
【０００９】
内箱１１と窪地部１０とは皿ネジ２１等から成る固着手段２２にて固定している。
即ち、窪地部１０に設けたリブ片１５及び補強リブ片２０の適所に、これらと同一高で略円柱状のボスを一体形成すると共に、該ボスにネジ孔２３を螺刻し、一方、内箱１１上面において、ネジ孔２３との対応部位に皿座ぐり２４を設け、窪地部１０に内箱１１を嵌合した状態で、皿座ぐり２４に通した皿ネジ２１をネジ穴２３に螺着することで、両者１０、１１の固定を成し得る。
尚、本実施例にあっては、内箱１１と窪地部１０との固着手段２２は、上記に限定されることなく、部分的な熱溶融による溶着、接着剤による接着であっても良い。
【００１０】
下方横枠材３は、略帯板状の基体の左右端部を直立に屈曲形成すると共に、基体の前端部から上方突設すると共に、左右端部７間に架設した帯状の起立板３ａを設けて成り、この様に左右端部７と起立板３ａとが下方横枠材３の基体に一体形成されて強度向上が図られているため、本実施例において、下方横枠材３には、窪地部１０及びこれに嵌合される内箱１１を設けていないが、この下方横枠材３にも他の枠材２、４、５と同様に、窪地部１０と内箱１１とを設け、これらを固着手段２２にて一体的に固定しても良い。
【００１１】
次に、各枠材２、３、４、５の連結部位について説明する。
外枠１の上方隅角部１ａは、上方横枠材２の左右端部６と左右縦枠材４、５の上端部８、９の夫々とを接合固定することにより形成されるものにして、左右縦枠材４、５の上端部８、９は、内側へ鉤状に屈曲形成している。
上方横枠材２の左右端部６は、上方横枠材２の基体の同一軸線上に延出形成している。
そして、左右縦枠材４、５の上端部８、９と上方横枠材２の左右端部６とは、同一勾配に傾斜した接合面２５、２６を設けた同一の先細り状に形成され、接合状態で両枠材２、４、５の肉厚が外枠１の一定の肉厚となる様にしている。
又、各接合面２５、２６には、互い違いに噛合される凹凸条２７、２８をその長さ方向に設けている。
【００１２】
凹凸条２７、２８は、断面先細り状に形成され、これにより各端部６、８、９の接合状態において、その凹凸条２７、２８の傾斜面が隙間なく密着する様に成している。
又、接合面２５、２６の一方（図示例では接合面２５）の適当な凸条２８には、その長さ方向で所定間隔を置いて円柱状で大小径の凸部２９、２９ａを一体形成し、他方の接合面２６において、凸部２９、２９ａを設けた凸条２８に対応する凹条２７には、凸部２９、２９ａを嵌合する大小径の凹部３０、３０ａを設けている。
接合面２６の反対面（左右端部６上面）で大径凹部３０に対応する部位には、大径凹部３０を挿通する皿座ぐり３１を設け、大径凸部２９にはネジ穴３２を螺刻し、双方の凹凸条２７、２８を噛合して各接合面２５、２６を接合した状態で、皿座ぐり３１を通した皿ネジ３３をネジ穴３２に螺着することで、両者２５、２６の接合固定を成し得る。
【００１３】
左右縦枠材４、５の上端部８、９先端には、その先端と同肉厚で左右縦枠材４、５の基体より幅小の舌状突片３４を上端部８、９の長さ方向に延出形成すると共に、接合面２５に連続する舌状突片３４の上面に、上記と同様な大小径の凸部３５、３５ａを上方突設し、舌状突片３４に対応する上方横枠材２の左右端部６の基端には、舌条突片３４及び凸部３５、３５ａを嵌合する舌状窪地部３６及び大小径の凹部３７、３７ａを設けている。
大径凹部３７は、上方横枠材２の窪地部１０の長手方向端部側において設けた円柱状のボスの挿通穴に相当し、小径凹部３７ａは、窪地部１０の段部１３及び内箱１１上面の長手方向端部１１ａの及び垂下壁１２を切欠した挿通穴に相当する。
【００１４】
舌状窪地部３６の反対面（上方横枠材２の外側面に相当する内箱１１の上面）で大径凹部３７に対応する部位には皿座ぐり３８を設け、大径凸部３５にはネジ穴３９を螺刻し、舌状突片３４及び凸部３５、３５ａを舌状窪地部３６及び凹部３７、３７ａの夫々に嵌合した状態で、皿座ぐり３８を通した皿ネジ４０をネジ穴３９に螺着することで、両者３４、３６の接合固定を成し得る。
尚、上記において、皿ネジ３３、４０等から成る固着手段４１、４２により、接合状態の上方横枠材２の左右端部６と左右縦枠材４、５の上端部８、９とを固定したものを示したが、この固着手段４１、４２も、固着手段２２と同様に、部分的な熱溶融による溶着固定や接着剤による接着固定であっても良い。
【００１５】
本実施例にあっては、左右縦枠材４、５の上端部８、９を屈曲形成し、この上端部８、９と上方横枠材２の左右端部６とを接合したものを示したが、図１９、２０に示す様に、上方横枠材２の左右端部６を下方屈曲形成し、該左右端部６の内側又は外側に左右縦枠材４、５の基体と同一軸線上に延出形成された上方端部８、９の外側又は内側を接合する様にしても良く、この場合、舌状突片３４及び大小径凸部３５、３５ａ等は、左右端部６の先端に延出形成され、舌状窪地部３６及び大小径凹部３７、３７ａは、上端部８、９に形成される。
【００１６】
外枠１の下方隅角部１ｂは、下方横枠材３の左右端部７と左右縦枠材４、５の下端部８ａ、９ａとを接合固定することにより形成されるものにして、下方横枠材３の左右端部７は、一側（図示例では外側）が開放された凹溝４３を設けている。
左右縦枠材４、５の下端部８ａ、９ａは、下方横枠材３の左右端部端７上端面７ａに係止する段差部４４を介し、縦枠材４、５の基体より幅小でその同一軸線上に延出形成され、凹溝４３に挿嵌される様に成している。
又、下端部８ａ、９ａの内側面と、これに対応する凹溝４３の内底面の夫々には、凸部４５及び凹部４６の夫々を設け、これらを嵌合して下端部８ａ、９ａと凹溝４３に挿嵌することにより、左右縦枠材４、５の下端部８ａ、９ａと下方横枠材３左右端部７を接合している。
凹凸部４６、４５は、断面先細り状に形成され、これにより各端部７、８ａ、９ａの接合状態において、その凹凸部４６、４５の傾斜面が隙間なく密着する様に成している。
下端部８ａ、９ａと左右端部７とは上記と同様なる固着手段４７にて固定されている。即ち、凸部４５及び凹部４６の形成部位を除く下端部８ａ、９ａの内側面及び凹溝４３の内底面適所の夫々にネジ穴４８、４９を設け、該ネジ穴４８、４９にネジ５０を螺着することで、接合した下端部８ａ、９ａと左右端部７とを固定している。
尚、この固着手段４７にあっても、他の固着手段２２、４１、４２と同様に、部分的な熱溶融による溶着や接着剤による接着にて固定しても良い。
【００１７】
次に外枠の作用について説明する。
上方横枠材２と左右縦枠材４、５において、端部６、８、９を除く部位にあっては、そこに設けられた窪地部１０に内箱１１が嵌合され、その上面が枠材２、４、５の外側面と同一平面上に位置し、その肉厚を一定と成している。
そして、各枠材２、４、５において、断面凹型の窪地部１０内に断面逆凹型の内箱１１が嵌まり込んでその断面形状が方形枠状と成り、更に、内箱１１のリブ片１４と窪地部１０のリブ片１５に設けた切込み１６、１７の夫々にリブ片１４、１５が介装され、窪地部１０と内箱１１の断面略方形枠状の空間内にその高さに対応した格子状のコア（心材）が組み付けられるため、枠材２、４、５はねじり、剪断、曲げ、圧縮に対し極めて強く、この強度は、固着手段２２により、内箱１１と窪地部１０とが一体固定されることで維持されている。
【００１８】
外枠１の上方隅角部１ａを形成している左右縦枠材４、５の上端部８、９と上方横枠材２の左右端部６との接合状態では、上端部８、９及び左右端部６における接合面２５、２６の断面先細り状の凹凸条２７、２８が相互に噛合し、その凹凸条２７、２８の傾斜面が隙間なく密着することにより、その接触面積を増大させてその結合を強固と成している。
又、左右縦枠材４、５の上端部８、９と上方横枠材２の左右端部６とは、先細り状に形成され、各端部６、８、９の基端が枠材２、４、５の基体と同肉厚であるため、亀裂、欠損等が生じない強度を有すると共に、上記の如く増大された結合力にて、外枠１の上方隅角部１ａの直角度を保持している。
更に、上端部８先端に延出した舌状突片３４とそこに設けた凸部３５、３５ａが左右端部６の舌状窪地部３６とそこに設けた凹部３７、３７ａに嵌合しているため、上方横枠材２の左右端部６と左右縦枠材４、５の上端部８、９との結合力を強化している。
この様に結合力が強化され、直角度が保持された上方隅角部１ａは、固着手段４１、４２により、各端部６、８、９が一体的に固定されることで維持されている。
【００１９】
外枠１の下方隅角部１ｂを形成している左右縦枠材４、５の下端部８ａ、９ａと下方横枠材２の左右端部７との接合状態では、左右縦枠材４、５の段差部４４が下方横枠材３の左右端部７の上端面７ａに係止することで、左右縦枠材４、５の直立状態を支持している。
そして、左右端部７における凹溝４３に下端部８ａ、９ａが挿嵌され、凹溝４３の内底面に設けた凹部４６に、下端部８ａ、９ａの内側面に設けた凸部４５が嵌合していることで、下端部８ａ、９ａと左右端部７との結合力を高め、各端部７、８ａ、９ａが固着手段４６にて一体的に固定されることでその結合力を維持している。
【００２０】
【発明の効果】
要するに本発明は、上下横枠材２、３及び左右縦枠材４、５とから方形枠状に組み立てる外枠１において、枠材２、３、４、５同士を連結する端部６、７、８、８ａ、９、９ａを除く部位に断面凹型状に陥没形成した窪地部１０を設け、該窪地部１０に嵌合すると共に、周縁に垂下壁１２を設けた断面逆凹型状の内箱１１を設けたので、内箱１１と窪地部１０との嵌合によってその断面形状が略方形枠状と成り、枠材２、３、４、５を剪断、曲げ、圧縮に対し強くできる。
又、内箱１１と窪地部１０とには相互に直交して格子状に組み付けられるリブ片１４、１５を設けたので、窪地部１０と内箱１１の断面方形枠状の空間内にその高さに対応した格子状のコアを組み付けられ、枠材２、３、４、５をねじり、剪断、曲げ、圧縮に対し極めて強くできると共に、内箱１１と窪地部１０とを固着手段２２にて固定したので、ねじり等に対する強度を維持でき、強固で亀裂や変形を生じない好適な枠材２、３、４、５から成る外枠１を提供できる。
【００２１】
一方のリブ片１５間において、他方のリブ片１４との直交部位間には斜めに交差する補強リブ片２０を設けたので、リブ片１５を補強することで、更に枠材２、３、４、５の強度を高めることができる。
【００２２】
左右縦枠材４、５の上端部８、９と上方横枠材２の左右端部６の一方が鉤状に屈曲形成され、左右縦枠材４、５の上端部８、９と上方横枠材２の左右端部６とは、同一勾配に傾斜した接合面２５、２６を設けた同一の先細り状に形成されているので、外枠１の上方隅角部１ａに外力が加わった時に、応力が集中し易い各端部６、８、９の基端が枠材２、４、５の基体と同肉厚であるため、亀裂、欠損等を生じない強度を有することができる。
しかも、各接合面２５、２６に設けた凹凸条２７、２８が互い違いに噛合されることにより、接合面２５、２６の結合力を増大して、外枠１の上方隅角部１ａの直角度を保持できると共に、上端部８、９と左右端部６とを固着手段４１にて固定することにより、各端部６、８、９を結合一体化でき、上方隅角部１ａは外力によって変形しない充分な組み付け強度を保持できる。
【００２３】
下方横枠材３の左右端部７は、直立状に屈曲形成すると共に、一側に凹溝４３を設け、左右縦枠材４、５は下方横枠材３の左右端部７上端面７ａに係止する段差部４４と、該段差部４４を介して凹溝４３に挿嵌される下端部８ａ、９ａを設けたので、段差部４４を左右端部７の上端面７ａに係止して、左右端部７上からの高さを均等にした左右縦枠材４、５の直立状態を支持でき、簡単に外枠１を左右の均整のとれた方形枠状に組み付けできる。
又、下方横枠材３における左右端部７の凹溝４３と、左右縦枠材４、５の下端部８ａ、９ａの夫々に設けた凹凸部４６、４５を嵌合したので、下端部８ａ、９ａと左右端部７との結合力を高めることができると共に、下端部８ａ、９ａと左右端部７とを固着手段４７にて固定することにより、各端部７、８ａ、９ａを結合一体化でき、外枠１の下方隅角部１ｂは充分な組み付け強度を保持でき、左右縦枠材４、５の下端部８ａ、９ａの座屈等を防止できる。
【００２４】
左右縦枠材４、５の上端部８、９と上方横枠材２の左右端部６の一方の先端に舌状突片３４を延出形成し、該舌状突片３４を嵌合する舌状窪地部３６を他方に設け、該舌状窪地部３６と舌状突片３４とを固着手段４２にて固定したので、該固着手段４２にて嵌合が保持された舌状突片３４と舌状窪地部３６とが、食い違い状に連結されるため、上方横枠材２の左右端部６と左右縦枠材４、５の上端部８、９とをより一層強固に結合でき、外枠１の上方隅角部１ａの強度向上を図れ、外枠１を強化できる。
【００２５】
凹凸条２７、２８は、断面先細り状に形成したので、外枠１の上方隅角部１ａにおいて、相互に噛合する凹凸条２７、２８の傾斜面が隙間なく密着して一体化できるため、その接触面積を増大でき、ガタつき無く接合面２５、２６の結合力を強化できる等その実用的効果甚だ大である。
【図面の簡単な説明】
【図１】外枠の正面図である。
【図２】外枠の分解正面図である。
【図３】上方横枠材の平面図である。
【図４】内箱を分離した上方横枠材の平面図である。
【図５】上方横枠材の底面図である。
【図６】上方横枠材に嵌合される内箱の拡大底面図である。
【図７】（ａ）  は図３のＸーＸ断面図、（ｂ）  は（ａ）  の分解図である。
【図８】（ａ）  は図３のＹーＹ断面図、（ｂ）  は（ａ）  の分解図である。
【図９】右側縦枠材の内側面図である。
【図１０】内箱を分離した外側縦枠材の外側面図である。
【図１１】右側縦枠材に嵌合される内箱の拡大底面図である。
【図１２】外枠における上方隅角部の拡大平面図である。
【図１３】（ａ）  は図１２のＡーＡ断面図、（ｂ）  は（ａ）  の分解図である。
【図１４】（ａ）  は図１２のＢーＢ断面図、（ｂ）  は（ａ）  の分解図である。
【図１５】（ａ）  は図１２のＣーＣ断面図、（ｂ）  は（ａ）  の分解図である。
【図１６】（ａ）  は外枠における下方隅角部の外側面図、（ｂ）  は（ａ）  の分解図である。
【図１７】（ａ）  は図１６（ａ）  のＤーＤ断面図、（ｂ）  は（ａ）  の分解図である。
【図１８】図１６（ａ）  のＥーＥ断面図である。
【図１９】外枠の変形例を示す図である。
【図２０】外枠の他の変形例を示す図である。
【符号の説明】
１  外枠
２  上方横枠材
３  下方横枠材
４  左側縦枠材
５  右側縦枠材
６  左右端部
７  左右端部
７ａ  上端面
８  上端部
８ａ  下端部
９  上端部
９ａ  下端部
１０  窪地部
１１  内箱
１２  垂下壁
１４  リブ片
１５  リブ片
２０  補強リブ片
２２  固着手段
２５  接合面
２６  接合面
２７  凹条
２８  凸条
３４  舌状突片
３６  舌状窪地部
４１  固着手段
４２  固着手段
４３  凹溝
４４  段差部
４５  凸部
４６  凹部
４７  固着手段
【図１】
2004298371.tif 000003
【図２】
2004298371.tif 000004
【図３】
2004298371.tif 000005
【図４】
2004298371.tif 000006
【図５】
2004298371.tif 000007
【図６】
2004298371.tif 000008
【図７】
2004298371.tif 000009
【図８】
2004298371.tif 000010
【図９】
2004298371.tif 000011
【図１０】
2004298371.tif 000012
【図１１】
2004298371.tif 000013
【図１２】
2004298371.tif 000014
【図１３】
2004298371.tif 000015
【図１４】
2004298371.tif 000016
【図１５】
2004298371.tif 000017
【図１６】
2004298371.tif 000018
【図１７】
2004298371.tif 000019
【図１８】
2004298371.tif 000020
【図１９】
2004298371.tif 000021
【図２０】
2004298371.tif 000022